(57)【要約】【課題】容易かつ迅速に脱衣可能な体温調節服を提供する。【解決手段】本発明の一形態に係る体温調節服は、所定の温度の液体が導入され、当該液体の流通により着用者の体温を調節する体温調節服であって、衣服本体と、上記液体が流れる搬送路とを具備する。上記衣服本体は、前身頃部および後身頃部を備える。上記搬送路は、少なくとも上記前身頃部の内面側に設けられる。上記前身頃部は、両肩部のみにおいて上記後身頃部と連結され、上記両肩部まわりに上記前身頃部が揺動自在に上記着用者の頭部を通す首開口部を有する。【選択図】図２
2020186496.tif 000002
【特許請求の範囲】
【請求項１】
所定の温度の液体が導入され、当該液体の流通により着用者の体温を調節する体温調節服であって、
前身頃部および後身頃部を備えた衣服本体と、
少なくとも前記前身頃部の内面側に設けられた前記液体が流れる搬送路と
を具備し、
前記前身頃部は、両肩部のみにおいて前記後身頃部と連結され、前記両肩部まわりに前記前身頃部が揺動自在に前記着用者の頭部を通す首開口部を有する
体温調節服。
【請求項２】
請求項１に記載の体温調節服であって、
前記後身頃部は、両脇下部の身幅方向の両端部にそれぞれ設けられた第１の止着部を有し、
前記前身頃部は、前記第１の止着部と係合可能な第２の止着部をさらに有し、
前記第１の止着部および前記第２の止着部は、係合状態から、前記着用者が前記前身頃部および前記後身頃部を前後に分離する方向に両手で引っ張ったときに、前記係合状態が解除される係合力で互いに係合する
体温調節服。
【請求項３】
請求項１または２に記載の体温調節服であって、
前記前身頃部は、左右の肩部にそれぞれ連結された第１の前身頃および第２の前身頃から成り、
前記第１の前身頃および前記第２の前身頃は、互いに係合する第１の係合部および第２の係合部を有し、
前記第１の係合部および前記第２の係合部は、係合状態から、前記着用者が前記第１の前身頃および前記第２の前身頃を左右に分離する方向に両手で引っ張ったときに、前記係合状態が解除される係合力で互いに係合する
体温調節服。
【請求項４】
請求項２に記載の体温調節服であって、
前記第１の止着部および前記第２の止着部は、一対のテンションリリース型ファスナ、面ファスナ、磁石またはスナップ釦である
体温調節服。
【請求項５】
請求項３に記載の体温調節服であって、
前記第１の係合部および前記第２の係合部は、一対のテンションリリース型ファスナ、面ファスナ、磁石またはスナップ釦である
体温調節服。
【請求項６】
請求項１〜５のいずれか１項に記載の体温調節服であって、
前記前身頃部は、錘が着脱自在に収納された収納部をさらに有する
体温調節服。
【請求項７】
請求項１〜６のいずれか１項に記載の体温調節服であって、
前記後身頃部の着丈は、前記前身頃部の着丈の１．６倍以上である
体温調節服。
【請求項８】
請求項７に記載の体温調節服であって、
前記後身頃部は、前記着用者が座る座席に固定可能な固定具をさらに有する
体温調節服。
【発明の詳細な説明】
【技術分野】
【０００１】
本発明は、所定温度の液体の流通により着用者の体温を調節する体温調節服に関する。
【背景技術】
【０００２】
近年、高温あるいは低温の作業環境にある屋内や、夏季あるいは冬季における屋外での作業での快適性を高めるため、冷却または加熱された流体を作業者の身体近傍に流通させることによって作業者の体温調節を行う体温調節服の開発が進められている（例えば特許文献１および２参照）。
【０００３】
例えばプールの監視員は、夏場に屋外で監視台（背の高い椅子）に座って周囲を監視し、異常を発見すれば、迅速に現場に駆けつけなくてはならない。しかし、常時座席に座る必要があるため、炎天下の中座った状態を維持するのは、監視員にとって困難である。
このような問題を解決するツールとして、例えば、体温調節服としてのウェア内に張り巡らされたチューブ内部に、氷で冷やした水を循環させて、着用者の体温の上昇を抑制するものがある。
ところで屋外プールの監視業務などは、長時間継続的に行われるが、上述のように氷を使用した身体の冷却は、一般的には２時間程度が限界である。そこで、電力を供給しさえすれば継続的に水を冷却可能なチラー（冷却水循環装置）が利用される。
【先行技術文献】
【特許文献】
【０００４】
【特許文献１】特開２０１７−１２５２７２号公報
【特許文献２】特開２０１７−５７５１８号公報
【発明の概要】
【発明が解決しようとする課題】
【０００５】
しかしながら、このような外部装置を適用した場合、着用者（監視員）がいざ現場に駆け付けようとしたときに、ウェアとチラーとがホースを介して接続されているため、一旦ウェアを脱ぐ必要があり、このウェアの脱衣に時間を要してしまうおそれがある。このウェアの脱衣時間の短縮化が望まれていた。
【０００６】
以上のような事情に鑑み、本発明の目的は、容易かつ迅速に脱衣可能な体温調節服を提供することにある。
【課題を解決するための手段】
【０００７】
上記目的を達成するため、本発明の一形態に係る体温調節服は、所定の温度の液体が導入され、当該液体の流通により着用者の体温を調節する体温調節服であって、衣服本体と、上記液体が流れる搬送路とを具備する。上記衣服本体は、前身頃部および後身頃部を備える。上記搬送路は、少なくとも上記前身頃部の内面側に設けられる。
上記前身頃部は、両肩部のみにおいて上記後身頃部と連結され、上記両肩部まわりに上記前身頃部が揺動自在に上記着用者の頭部を通す首開口部を有する。
【０００８】
上記体温調節服においては、着用者は、頭部を衣服本体の首開口部に通すことで、緊急時に衣服本体を容易かつ迅速に脱衣することができる。
【０００９】
上記後身頃部は、両脇下部の身幅方向の両端部にそれぞれ設けられた第１の止着部を有し、上記前身頃部は、上記第１の止着部と係合可能な第２の止着部をさらに有し、上記第１の止着部および上記第２の止着部は、係合状態から、上記着用者が上記前身頃部および上記後身頃部を前後に分離する方向に両手で引っ張ったときに、上記係合状態が解除される係合力で互いに係合してもよい。
【００１０】
上記体温調節服において、上記前身頃部は、左右の肩部にそれぞれ連結された第１の前身頃および第２の前身頃から成り、上記第１の前身頃および上記第２の前身頃は、互いに係合する第１の係合部および第２の係合部を有し、上記第１の係合部および上記第２の係合部は、係合状態から、上記着用者が上記第１の前身頃および上記第２の前身頃を左右に分離する方向に両手で引っ張ったときに、上記係合状態が解除される係合力で互いに係合してもよい。
【００１１】
上記体温調節服において、上記第１の係合部および上記第２の係合部は、一対のテンションリリース型ファスナ、面ファスナ、磁石またはスナップ釦であってもよい。
【００１２】
上記体温調節服において、上記第１の止着部および上記第２の止着部は、一対のテンションリリース型ファスナ、面ファスナ、磁石またはスナップ釦であってもよい。
【００１３】
上記体温調節服において、上記前身頃部は、錘が着脱自在に収納された収納部をさらに有してもよい。
【００１４】
上記体温調節服において、上記後身頃部の着丈は、上記前身頃部の着丈の１．６倍以上であってもよい。
【００１５】
上記体温調節服において、上記後身頃部は、上記着用者が座る座席に固定可能な固定具をさらに有してもよい。
【発明の効果】
【００１６】
以上述べたように、本発明によれば、着用者が体温調節服を容易かつ迅速に脱衣することができる。
【図面の簡単な説明】
【００１７】
【図１】本発明の第１の実施形態に係る体温調節システムの使用例を示す着用者の側面図である。
【図２】図１の体温調節システムにおける体温調節服の概略展開図である。
【図３】図２のＡ−Ａ'断面図である。
【図４】上記監視員が上記体温調節服を脱衣する前の状態斜視図（ａ）および脱衣した後の状態斜視図（ｂ）である。
【図５】本発明の第２の実施形態に係る体温調節システムの使用例を示す着用者の側面図である。
【図６】図５の体温調節システムにおける体温調節服の概略展開図である。
【図７】本発明の第３の実施形態に係る体温調節服の一構成例を示す概略展開図である。
【図８】第３の実施形態に係る体温調節服の他の構成例を示す概略展開図である。
【図９】図７または図８の体温調節服の脱衣方法を説明する図である。
【発明を実施するための形態】
【００１８】
以下、図面を参照しながら、本発明の実施形態を説明する。
【００１９】
＜第１の実施形態＞
［体温調節システム］
図１は、本発明の一実施形態に係る体温調節システムの使用例を示す屋外プールの監視員の側面図である。
【００２０】
本実施形態の体温調節システム１は、体温調節服１００と、流体温度調節装置２００とを備える。
体温調節服１００は、監視員である着用者Ｕが着用可能な適宜の形態の衣服であって、着用者Ｕの体温を調節（冷却又は加温）することが可能な流体（本例では、水）の循環通路を有する。
流体温度調節装置２００は、体温調節服１００の内部を循環する流体の温度を調節する冷熱装置を含む。着用者Ｕはプール監視員に限定されず、フォークリフトの運転手や工場の作業従事者などでもよい。
【００２１】
［流体温度調節装置］
流体温度調節装置２００は、チラー６０（冷却水循環装置）と、チラー６０と体温調節服１００の入水口１８１および出水口１８２とを接続するホース７０とを有する（図１および２参照）。
チラー６０は、体温調節服１００の出水口１８２にホース７０を介して着脱可能に接続される吸水配管と、体温調節服１００の入水口１８１にホース７０を介して着脱可能に接続される送水配管とを有する。
【００２２】
チラー６０はさらに、吸水配管を介して導入された流体（以下、冷却水ともいう）を貯留するタンクと、チラー６０内で冷却された流体を体温調節服１００へ供給するポンプとを有する（図示せず）。所定温度に冷却された冷却水は、ホース７０を経由して体温調節服１００の入水口１８１へ送出される。
【００２３】
チラー６０は、ＣＰＵ（Central Processing Unit）やメモリを有するコンピュータで構成された制御部を有し、この制御部は、チラー６０の図示しないポンプ及び圧縮機、ファン６１等の駆動を制御する。
【００２４】
監視台８０は、着用者Ｕが座る座面８０ｓと、背もたれ８０ｂとを備える。
図１に示すように、チラー６０は、例えば、着用者Ｕが座る監視台８０の座面８０ｓの下に設置される。あるいは、流体温度調節装置２００が、体温調節服１００を着用する着用者Ｕと一体的に移動可能に構成されて、着用者Ｕの背後（着用者Ｕと背もたれ８０ｂとの間のスペース）、座面８０ｓ、背もたれ８０ｂ、監視台８０の任意の位置などに取り付けられてもよい。
【００２５】
［体温調節服］
続いて、体温調節服１００の詳細について説明する。図２は、図１の体温調節システム１における体温調節服１００の概略展開図である。
【００２６】
体温調節服１００は、流体温度調節装置２００から冷却水が導入され、当該冷却水の流通により、着用者Ｕの体温を調節する。体温調節服１００は、着用者Ｕが着用する衣服本体１０と、衣服本体１０に設けられた冷却水の搬送路５０とを有する。冷却水は例えば、１０℃程度に設定される。
【００２７】
衣服本体１０は、前身頃部１０Ｆおよび後身頃部１０Ｂを有し、襟部１０Ｂｎをさらに有してもよい。衣服本体１０は、着用者である着用者Ｕの体型に合わせて構成され、着用者Ｕの前身頃（１０Ｆ）を覆う第１のエリア１１と、着用者Ｕの後身頃（１０Ｂ）を覆う第２のエリア１２とを有する。衣服本体１０は、着用者Ｕの首部（襟部１０Ｂｎ）を覆う第３のエリア１３をさらに有してもよい。
衣服本体１０は例えば、ポリエステルから成り、撥水加工がなされた袖なしのベスト、いわゆるノースリーブニット、アウターベスト、チョッキなどと呼ばれているものである。
【００２８】
衣服本体１０の前身頃部１０Ｆは、両肩部（ヨーク部）１０ＲＳ、１０ＬＳのみにおいて後身頃部１０Ｂと連結される（縫い合わせられる）。つまり、前身頃部１０Ｆおよび後身頃部１０Ｂは、衣服本体１０の両側面（各アームホールから各裾部まで）において、分離される（連結されない）。これにより、脱衣（および着衣）がしやすくなる。
前身頃部１０Ｆには、着用者Ｕの首を通すための首開口部１０Ｆｎが形成される。この首開口部１０Ｆｎは、両肩部まわりに前身頃部１０Ｆが揺動自在に着用者Ｕの頭部を通すほど十分に開口されている。
【００２９】
首開口部１０Ｆｎの大きさは特に限定されず、例えば、前身頃部１０Ｆを両肩部まわりに揺動させたときに着用者Ｕの頭部が抜ける大きさで形成されてもよい。この場合、着用者Ｕは、後述する前身頃部１０Ｆの係合部材Ｆｓを備えることなしに、または、備えていたとしても当該係合部材Ｆｓを取り外すことなく、緊急時に衣服本体１０を容易かつ迅速に脱衣することが可能になる。
【００３０】
一方、首開口部１０Ｆｎは、前身頃部１０Ｆを両肩部まわりに揺動させたときに着用者Ｕの頭部が抜けない大きさで形成されてもよい。この場合、後述する係合部材Ｆｓを取り外すことで首開口部１０Ｆｎが左右に分離するように拡張し、これにより前身頃部１０Ｆの揺動操作によって容易に衣服本体１０を脱衣することができる。
【００３１】
前身頃部１０Ｆは、左前身頃部（第１の前身頃）１０ＦＬと右前身頃部（第２の前身頃）１０ＦＲとを有し、両者が係合部材（互いに係合する第１の係合部および第２の係合部）Ｆｓを介して分離可能に構成される。係合部材Ｆｓは具体的には、面ファスナ（例えばクイックロン（登録商標））、ＮＳ極のシート状磁石、スナップ釦などである。
係合部材Ｆｓは、係合状態（図４（ａ）参照）から、着用者Ｕが左前身頃部１０ＦＬおよび右前身頃部１０ＦＲを左右に分離する方向に両手で引っ張ったときに、わずかな力で係合状態が解除される（図４（ｂ）参照）係合力で互いに係合するように構成されている。図２では係合部材Ｆｓは、前身頃部１０Ｆの着丈方向における上部、中間部および下部と３箇所に設けられているが、これに限定されず、１箇所や複数箇所に設けられてもよい。係合部材Ｆｓは、少なくとも１つあればよい。また、３つの係合部材Ｆｓの代わりに、一対のテンションリリース型ファスナ（両サイドに引っ張ると簡単に係合解除されるタイプのファスナ）を使用してもよい。
【００３２】
これにより、着用者Ｕは、前身頃部１０Ｆの係合部材Ｆｓを容易かつ迅速に取り外し、緊急時に衣服本体１０をより容易かつ迅速に脱衣して、現場に急行することが可能である。
より係合解除しやすくするように、左前身頃部１０ＦＬおよび右前身頃部１０ＦＲの下部に、脱衣時に着用者Ｕが両手で引っ張る用の補助紐、補助片（タブ）などが設けられてもよい（図示せず）。
【００３３】
第３のエリア１３は、衣服本体１０の襟部１０Ｂｎを構成する。第３のエリア１３は、着用者Ｕの首部の主に後ろ側に密着可能に、後身頃部１０Ｂの中央上端部の、開口部１０Ｆｎの後方側に帯状に形成される。第３のエリア１３を設けることにより、着用者Ｕの首部を冷却し、例えば熱中症のリスクを低減することができる。
【００３４】
前身頃部１０Ｆは、錘（ウエイトゴム）１５が着脱自在に収納された収納部１６をさらに有する。前身頃部１０Ｆの収納部１６に錘１５を収納することにより、錘１５の重みで前身頃部１０Ｆに鉛直下方向に負荷をかけて、前身頃部１０Ｆの着用者Ｕの肌への密着性が高められる。後身頃部１０Ｂに同様の錘が配置されてもよいが、後身頃部１０Ｂは、監視台８０の背もたれ８０ｂに、着用者Ｕがよりかかることにより、着用者Ｕの肌への密着性が高められる。
【００３５】
錘１５は、ゴム、鎖、軟質樹脂などである。収納部１６は例えば、左前身頃部１０ＦＬおよび右前身頃部１０ＦＲの下部から１列５段設けられた５つのポケットである。このポケットの段数は、複数列でもよく、１段でも複数段でもよい。換言すると、ポケットの個数は１つでも、複数でもよい。
錘１５は例えばゴム板として、２枚１組で、左右５つのポケットに合計２０枚収納される。ゴム板は、１枚１組でも複数枚１組でも１つのポケットに収納されてよい。
【００３６】
搬送路５０は、流体温度調節装置２００に接続され、流体温度調節装置２００から供給される冷却水が流れる流路を構成する。搬送路５０は、第１の通路部５１と、第２の通路部５２と、第３の通路部５３とを有する。
【００３７】
第１の通路部５１は、第１のエリア１１のうち主として着用者Ｕの前身頃に対応する部位に設けられ、主として着用者Ｕの前身頃全体を冷却する。第２の通路部５２は、第２のエリア１２に設けられ、着用者Ｕの背中全体を冷却する。第３の通路部５３は、第３のエリア１３にそれぞれ設けられ、着用者Ｕの首部を冷却する。
【００３８】
第１〜第３の通路部５１〜５３は、少なくとも１つの反転部を有する蛇行通路で形成される。これにより、面積の限られた領域に冷却水の通路部を比較的密に設置することができるため、当該領域の冷却効率が高められる。
【００３９】
搬送路５０は、第２の通路部５２に接続される入水口１８１及び出水口１８２を有する。入水口１８１は、カプラ１７１とホース７０を介して流体温度調節装置２００の送水配管に接続され、出水口１８２は、カプラ１７２とホース７０を介して流体温度調節装置２００の吸水配管に接続される。
【００４０】
入水口１８１及び出水口１８２の設置個所は特に限定されず、本実施形態では後身頃部の右側裾部（最下部右端部）に設置されるが、勿論これに限られない。
【００４１】
第２の通路部５２は、入水口１８１及び出水口１８２と第１および第３通路部５１、５３との間をそれぞれ連絡する連絡通路部をさらに有する。これら連絡通路部は、後身頃の肩部（ヨーク部）に設けられる。
【００４２】
搬送路５０が描く経路は、これに限定されず、衣服本体１０の後身頃部１０Ｂの裾部において１つの入水口１８１から前身頃および後身頃に流れるように、例えば、４つの経路に分岐される。これら４つの経路の２つは其々、衣服本体１０の前身頃部１０Ｆおよび後身頃１０Ｂの身幅方向の一端部および他端部付近（例えば各端部から５．０ｃｍの位置）を着丈方向に直線的に通過し、前身頃部１０Ｆの裾部において互いに近接する方向に屈曲し、衣服本体１０の中央部において折り返す。
その後これら２つの経路は其々、衣服本体１０の前身頃部１０Ｆを着丈方向に直線的に通過し、襟部１０Ｂｎの端部に沿うように蛇行して、後身頃部１０Ｂを着丈方向に直線的に通過し、出水口１８２に到達する。これら２つの経路は、搬送路５０の前身頃部１０Ｆおよび後身頃１０Ｂの外形輪郭に沿って配置される。
【００４３】
これら４つの経路の他の２つは其々、上記２つの経路が描いた経路の内部を埋めるように、着丈方向および身幅方向に蛇行する。このとき、他の２つの経路は、前身頃部１０Ｆおよび後身頃部１０Ｂの袖下において、身幅方向に４列以上の直線的な経路を含む。
これら４つの経路は、前身頃部１０Ｆおよび後身頃部１０Ｂで同様の軌跡を描き、着用者Ｕの前身頃部全体、後身頃部全体（および首部）にまんべんなく配置されることで、体温（核心温）の上昇を効率よく抑えることができる。
【００４４】
搬送路５０は上述したように、衣服本体１０における第１〜第３のエリア１１〜１３に配設される。衣服本体１０は、典型的には、図３に示すように裏生地１１１と中間生地１１２と表生地１１３との３層構造を有する。
【００４５】
裏生地１１１及び中間生地１１２は、例えば、ポリエステル生地であり、抗菌性、吸収速乾性及び接触冷感を有する。裏生地１１１および中間生地１１２は、熱伝導性をより高めるために、金属やカーボンなどを含有してもよい。
チューブ材５０Ｔは、塩化ビニール製または合成ゴム製の管などのフレキシブル管で構成される。チューブ材５０Ｔは、裏生地１１１及び中間生地１１２の間に挟持される。表生地１１３は、例えば、ポリエステルのニット生地であり、吸水速乾性及び遮熱性を有する。
【００４６】
衣服本体１０は、裏生地１１１と中間生地１１２との間に、搬送路５０（第１〜第３の通路部５１〜５３、連絡通路部）を構成するチューブ材５０Ｔを配設するための、筒部１１４を有する。この筒部１１４は袋状の２層構造であり、チューブ材５０Ｔを袋内部に挿通（挿入）させる。換言すると、筒部１１４は、搬送路５０の経路を決定するものである。搬送路５０は、少なくとも前身頃部１０Ｆの内面側（中間生地１１２と裏生地１１３との間）に設けられる。
搬送路５０を内蔵した衣服本体１０は、その上から何も着ずに着用するものであるため、着用者Ｕが衣服本体１０を容易に着脱することができる。
【００４７】
図３に示すように筒部１１４は、チューブ材５０Ｔをチューブ材の径方向および軸方向に全体的に覆うように袋状に形成される。
【００４８】
＜第２の実施形態＞
図５は、本発明の他実施形態に係る体温調節システムの使用例を示す屋外プールの監視員の側面図である。本実施形態の体温調節システム１'は、衣服本体１０の後身頃部１０Ｂおよび搬送路５０に一部追加がなされる以外は、前述した体温調節システム１と同様のものである。したがって説明を簡単化するため、この追加事項のみを説明する。
【００４９】
図６は、図５の体温調節システム１'における体温調節服１００の概略展開図である。
図１〜４の実施形態では、着用者Ｕの上半身のみが冷却されるが、本実施形態では、これに加えて、着用者Ｕの臀部から大腿部まで冷却できるように、後身頃部１０Ｂが着丈方向にさらに延長され、シート状の冷却座面１０ｓが備えられる。
このとき、衣服本体１０'の後身頃部１０Ｂ'の着丈は、前身頃部１０Ｆの着丈の１．６倍以上となる。搬送路５０'は、前述の搬送路５０に加えて、冷却座面１０ｓにおいてこれに限定されないが、上記の４つの経路としての、衣服本体１０の後身頃部１０Ｂと同様の経路パターンが描かれる。
これにより、着用者Ｕの身体をより広範囲で冷却することが可能になる。
【００５０】
後身頃部１０Ｂ'は、着用者Ｕが座る座席８０ｂ、８０ｓに固定可能な固定具１７を有する。固定具１７は具体的には、紐、一対のストラップ、クリップ、インシュロック等である。固定具１７の取り付け箇所はこれに限定されないが、座面８０ｓの４角部において固定する用に、冷却座面１０ｓの身幅方向の４端部に備えられる。この４端部のうちの２端部は、身幅方向において対向する。
固定具１７は、背もたれ８０ｂ用に後身頃部１０Ｂ'に備えられてもよい。
これにより、衣服本体１０'が監視台８０に固定され、着用者Ｕが緊急時に衣服本体１０'をより容易かつ迅速に脱衣（および着衣）することが可能になる。
【００５１】
上記実施形態における衣服本体１０、１０'によれば、係合部材Ｆｓが係合された通常（着用者Ｕの監視）状態から緊急時になると図４（ａ）の矢印で示すように、着用者Ｕが、左前身頃部１０ＦＬおよび右前身頃部１０ＦＲを左右に分離する方向に両手で引っ張る。この引っ張りにより、係合部材Ｆｓの係合状態が解除される。
その後、着用者Ｕは図４（ｂ）の矢印で示すように、両肩部１０ＲＳ、１０ＬＳ、または、両肩部１０ＲＳ、１０ＬＳの付近の身幅方向まわりに、左前身頃部１０ＦＬおよび右前身頃部１０ＦＲを持ち上げる方向に両手で（１６０°以上２２０°以下程度）揺動させる。これにより、着用者Ｕは、緊急時に衣服本体１０、１０'を容易かつ迅速に脱衣することができる。
【００５２】
＜第３の実施形態＞
図７および図８は其々、図２および図６の他実施形態に係る体温調節服１２０の概略展開図である。以下、第１及び第２の実施形態と異なる構成について主に説明し、第１及び第２の実施形態と同様の構成については同様の符号を付しその説明を省略または簡略化する。
【００５３】
図７および図８の体温調節服１２０は其々、上述した図２および図６の体温調節服１００に、一対のバンド部１８並びに第１および第２の止着部Ｓｔｍ、Ｓｔｆ（止着部Ｓｔ）が、さらに備えられたものである。
【００５４】
一対のバンド部１８は、後身頃部１０Ｂの両脇下部１０ＢＳの、身幅方向の両端部において対向して縫着されている。一対のバンド部１８の各先端部の前身頃側には、第１の止着部Ｓｔｍが縫着されている。一対のバンド部１８は、例えば、布地、ゴム、ポリウレタン等の合成樹脂から成る非伸縮性あるいは伸縮性のある部材で構成される。
【００５５】
第２の止着部Ｓｔｆは、前身頃部１０Ｆの表生地１１３において、第１の止着部Ｓｔｍに対応する位置に縫着され、第１の止着部Ｓｔｍに係合可能である。典型的には、着衣時において第１の止着部Ｓｔｍが第２の止着部Ｓｔｆに止着される。これにより、衣服本体１０の形態が安定化し、着用者の身体に衣服本体１０を密着させて所望とする体温調節機能を得ることができる。
【００５６】
第１の止着部Ｓｔｍの表面積は、第２の止着部Ｓｔｆの表面積よりかなり小さく設定されている。これにより、着用者の体型や着用者が好む装着感に合わせて、第２の止着部Ｓｔｆに対する第１の止着部Ｓｔｍの止着位置を任意に調整することができると共に、わずかな力で係合を解除できる。
【００５７】
第１および第２の止着部Ｓｔｍ、Ｓｔｆは、上述した第１の係合部および第２の係合部（係合部材Ｆｓ）と同様のものである。着衣携帯の安定性あるいは脱衣の容易性を考慮して、第１および第２の止着部Ｓｔｍ、Ｓｔｆは、第１の係合部および第２の係合部と同様に、係合力は弱く設定されている。つまり、第１の止着部Ｓｔｍおよび第２の止着部Ｓｔｆは、係合状態から、着用者Ｕが前身頃部１０Ｆおよび後身頃部１０Ｂを前後に分離する方向に両手で引っ張ったときに、上記係合状態が解除される係合力で互いに係合する。
【００５８】
本実施形態において、係合部材Ｆｓおよび止着部Ｓｔが係合された通常（着用者Ｕの監視）状態からの脱衣時には、図９の矢印Ａ１，Ａ２で示すように、着用者Ｕが、左前身頃部１０ＦＬおよび右前身頃部１０ＦＲを左右および前後に分離する方向に両手で引っ張る。この引っ張りにより、係合部材Ｆｓおよび止着部Ｓｔの係合状態がそれぞれ解除される。
その後、着用者Ｕは図９の矢印Ａ３（あるいは図４（ｂ））で示すように、両肩部１０ＲＳ、１０ＬＳ、または、両肩部１０ＲＳ、１０ＬＳの付近の身幅方向まわりに、左前身頃部１０ＦＬおよび右前身頃部１０ＦＲを持ち上げる方向に両手で（１６０°以上２２０°以下程度）揺動させる。これにより、着用者Ｕは、緊急時に衣服本体１０、１０'を容易かつ迅速に脱衣することができる。
【００５９】
以上、本発明の実施形態について説明したが、本発明は上述の実施形態にのみ限定されるものではなく種々変更を加え得ることは勿論である。
【００６０】
さらに以上の実施形態では、体温調節服１００の搬送路５０を流れる流体が水である場合を例に挙げて説明したが、これに限られず、水以外、例えば不凍液などの他の水溶液あるいは非水系溶液であってもよい。
【符号の説明】
【００６１】
１…体温調節システム
１０…衣服本体
１０Ｆ…前身頃部
１０ＦＬ…左前身頃部（第１の前身頃）
１０ＦＲ…右前身頃部（第２の前身頃）
１０Ｂ…後身頃部
１０Ｆｎ…首開口部
１０ＲＳ、１０ＬＳ…両肩部（ヨーク部）
１５…錘
１６…収納部
１７…固定具
１８…バンド部
５０…搬送路
５１…第１の通路部
５２…第２の通路部
５３…第３の通路部
５４…連絡通路部
８０ｂ、８０ｓ…座席
１００，１２０…体温調節服
１１１…裏生地
１１２…中間生地
１１３…表生地
１１４…筒部
２００…流体温度調節装置
Ｆｓ…係合部材（第１の係合部および第２の係合部）
Ｓｔｍ…第１の止着部
Ｓｔｆ…第２の止着部
Ｕ…着用者
【図１】
2020186496.tif 000003
【図２】
2020186496.tif 000004
【図３】
2020186496.tif 000005
【図４】
2020186496.tif 000006
【図５】
2020186496.tif 000007
【図６】
2020186496.tif 000008
【図７】
2020186496.tif 000009
【図８】
2020186496.tif 000010
【図９】
2020186496.tif 000011